(57)【要約】【課題】文字などを白抜きして画像形成処理を行った場合に、白抜き部分がはっきりと周囲の部分と区別され、良好な画質の画像形成処理印刷を可能な画像形成装置を提供する。【解決手段】画像形成処理の実行を指示する画像形成ジョブを取得するジョブ取得部と、前記ジョブ取得部に取得された前記画像形成ジョブに含まれる画像形成処理対象のデータにおいて、文字の部分について用紙の地を残して画像形成される白抜き文字が存在する場合に、その白抜き文字の輪郭部分に隣接する領域であって、その領域の色の不透明さを示す不透明度が所定の基準値以上の不透明度である領域が存在するか否かを判定する判定部と、前記判定部が前記不透明度が基準値以上の領域が存在すると判定した場合に、当該領域の色がより透明になるように不透明度を低下させる画像処理を行う画像処理部と、を備える画像形成装置。【選択図】図１
2011254479.tif 000002
【特許請求の範囲】
【請求項１】
画像形成処理の実行を指示する画像形成ジョブを取得するジョブ取得部と、
前記ジョブ取得部に取得された前記画像形成ジョブに含まれる画像形成処理対象のデータにおいて、文字の部分について用紙の地を残して画像形成される白抜き文字が存在する場合に、その白抜き文字の輪郭部分に隣接する領域であって、その領域の色の不透明さを示す不透明度が所定の基準値以上の不透明度である領域が存在するか否かを判定する判定部と、
前記判定部が前記不透明度が基準値以上の領域が存在すると判定した場合に、当該領域の色がより透明になるように不透明度を低下させる画像処理を行う画像処理部と、
を備える画像形成装置。
【請求項２】
請求項１に記載の画像形成装置において、
前記画像形成処理対象のデータにおいて前記白抜き文字が存在する場合に、前記白抜き文字の輪郭部分の周囲の領域を、拡張領域として拡張する拡張処理部をさらに備え、
前記判定部は、前記拡張処理部によって拡張された拡張領域の不透明度が所定の基準値以上であるか否かを判定する画像形成装置。
【請求項３】
請求項２に記載の画像形成装置において、
前記画像形成処理対象のデータの各画素が、画像データと、図形データと、文字データのいずれの属性であるかを示す属性情報を抽出する抽出部をさらに備え、
前記判定部は、前記抽出部によって抽出された属性情報に基づき、前記拡張処理部によって拡張された拡張領域の属性が画像データおよび図形データのいずれかであるか否かを判定し、
前記画像処理部は、前記判定部が画像データおよび図形データのいずれかであると判定した領域について前記画像処理を行う画像形成装置。
【請求項４】
請求項１から３のいずれか１つに記載の画像形成装置において、
前記基準値は、不透明度が当該基準値以上に指定されている場合に、指定された色で領域を塗りつぶす画像形成処理が行われる値である画像形成装置。
【請求項５】
請求項１から４のいずれか１つに記載の画像形成装置において、
前記画像処理部は、前記不透明度を、用紙に画像を形成した場合に前記白抜き文字の輪郭の内側の領域への着色剤のはみ出しが目立たない予め設定される所定の不透明度に変更する画像形成装置。
【請求項６】
画像形成処理の実行を指示する画像形成ジョブを取得し、
前記取得された画像形成ジョブに含まれる画像形成処理対象のデータにおいて、文字の部分について用紙の地を残して画像形成される白抜き文字が存在する場合に、その白抜き文字の輪郭部分に隣接する領域であって、その領域の色の不透明さを示す不透明度が所定の基準値以上の不透明度である領域が存在するか否かを判定し、
前記不透明度が基準値以上の領域が存在すると判定された場合に、当該領域の色がより透明になるように不透明度を低下させる画像処理を行う画像形成処理方法。
【請求項７】
請求項６に記載の画像形成処理方法において、
前記画像形成処理対象のデータにおいて前記白抜き文字が存在する場合に、前記白抜き文字の輪郭部分の周囲の領域を、拡張領域として拡張し、
前記拡張領域の不透明度が所定の基準値以上であるか否かを判定する画像処理方法。
【請求項８】
請求項７に記載の画像処理方法において、
前記画像形成処理対象のデータの各画素が、画像データと、図形データと、文字データのいずれの属性であるかを示す属性情報を抽出し、
前記抽出された属性情報に基づき、前記拡張領域の属性が画像データおよび図形データのいずれかであるか否かを判定し、
前記判定において、画像データおよび図形データのいずれかであると判定された領域について前記画像処理を行う画像処理方法。
【請求項９】
請求項６から８のいずれか１つに記載の画像処理方法において、
前記基準値は、不透明度が当該基準値以上に指定されている場合に、指定された色で領域を塗りつぶす画像形成処理が行われる値である画像処理方法。
【請求項１０】
請求項６から９のいずれか１つに記載の画像処理方法において、
前記画像処理は、前記不透明度を、用紙に画像を形成した場合に前記白抜き文字の輪郭の内側への着色剤のはみ出しが目立たない予め設定される所定の不透明度に変更する処理である画像処理方法。
【発明の詳細な説明】
【技術分野】
【０００１】
本発明の実施形態は、画像形成対象の画像を正確に用紙に画像形成可能な画像形成装置に関する。
【背景技術】
【０００２】
従来、ＭＦＰ（Multi Function Peripheral）などの画像形成装置においては、白色の用紙に黒あるいはその他の指定された色で、印字対象の文字等が印字される。また、たとえば文字をより目立たせたい場合などに利用される、いわゆる白抜き文字の場合には、文字以外の部分にトナーが定着され、文字の部分は用紙の地を残すことで、文字を字の色で表示する。
【発明の概要】
【発明が解決しようとする課題】
【０００３】
しかし、上述の白抜き文字の場合には、文字の周りの部分に定着されるトナーが、トナーが定着されない白抜きの部分にはみ出す現象が生じる。トナーの周りのトナーが白抜きの部分にはみ出すと、例えば、用紙が白色であり、白抜きの周りの部分が赤色でベタ塗りされている場合には、赤色を構成するマゼンタなどのトナーが、白抜きの領域にはみ出してしまう。白抜きの部分に周りからトナーがはみ出して定着されると、白抜きの部分がつぶれて周囲と同化し、はっきりと文字が見えなくなる。例えば、白抜きの周りが上述のようにマゼンタのトナーでベタ塗りされる場合、白抜きの部分にマゼンタのトナーがはみ出すため、白抜きの部分は完全に白色ではなく、薄くマゼンタの色で見えて視認しにくくなる。
【０００４】
従って、従来の画像形成装置においては、白抜きの画像形成を行うと、白抜き部分の周りのトナーが白抜き部分にはみ出すことで、確実に白抜きされないという問題があった。
【０００５】
本発明が解決しようとする課題は、いわゆる白抜き印刷を行った場合に、白抜き部分がはっきりと周囲の部分と区別され、良好な画質で白抜き部分の印刷を可能な画像形成装置を提供することである。
【課題を解決するための手段】
【０００６】
実施形態の画像形成装置は、ジョブ取得部と、判定部と、画像処理部と、を持つ。ジョブ取得部は、画像形成処理の実行を指示する画像形成ジョブを取得する。判定部は、前記ジョブ取得部に取得された前記画像形成ジョブに含まれる画像形成処理対象のデータにおいて、文字の部分について用紙の地を残して画像形成される白抜き文字が存在する場合に、その白抜き文字の輪郭部分に隣接する領域であって、その領域の色の不透明さを示す不透明度が所定の基準値以上の不透明度である領域が存在するか否かを判定する。画像処理部は、前記判定部が前記不透明度が基準値以上の領域が存在すると判定した場合に、当該領域の色がより透明になるように不透明度を低下させる画像処理を行う。
【図面の簡単な説明】
【０００７】
【図１】画像形成装置１の構成を説明するブロック図である。
【図２】白抜き文字の画像例である。
【図３】本実施形態の画像形成装置の機能を示す機能ブロック図である。
【図４】図２に示した画像に対して、画像処理された画像データである。
【図５】本実施形態の画像形成装置１による画像形成処理の流れを示すフローチャートである。
【発明を実施するための形態】
【０００８】
以下、実施の形態について図面を参照しつつ説明する。
【０００９】
図１は、画像形成装置１の構成を説明するブロック図である。
【００１０】
画像形成装置１は、ＭＦＰ（Multi Function Peripheral）である。画像形成装置１は制御部２と、補助記憶装置８と、通信インターフェース（通信Ｉ／Ｆ）１０と、操作パネル１４と、スキャナ部１６と、プリンタ部１８と、ファクシミリコントロールユニット（ＦＣＵ）２０と、を備える。これらの画像形成装置１の各コンポーネントは、バス３０を介して接続される。
【００１１】
制御部２は、プロセッサ４と、メモリ６と、オペレーティングシステム（Ｏｐｅｒａｔｉｎｇ  Ｓｙｓｔｅｍ、ＯＳ）により機能する。
【００１２】
プロセッサ４は、ＣＰＵ（Ｃｅｎｔｒａｌ  Ｐｒｏｃｅｓｓｉｎｇ  Ｕｎｉｔ）あるいはＭＰＵ（Ｍｉｃｒｏ  Ｐｒｏｃｅｓｓｉｎｇ  Ｕｎｉｔ）である。
【００１３】
メモリ６は、いわゆる主記憶装置である。メモリ６は、例えば、半導体メモリである。メモリ６は、プロセッサ４の制御プログラムを格納するＲＯＭ（Ｒｅａｄ  Ｏｎｌｙ  Ｍｅｍｏｒｙ）６ａと、プロセッサ４に一時的な作業領域を提供するＲＡＭ（Ｒａｎｄｏｍ  Ａｃｃｅｓｓ  Ｍｅｍｏｒｙ）６ｂを備える。
【００１４】
制御部２は、ＲＯＭ６ａあるいは補助記憶装置８に格納された制御プログラム等に基づいて、通信Ｉ／Ｆ１０、操作パネル１４、スキャナ部１６、プリンタ部１８、ＦＣＵ２０などを制御する。制御部２はさらに、さまざまな画像処理機能を有してもよい。なお、制御部２は、画像形成装置１が備える機能の一部又は全部を実現するＡＳＩＣ（Application Specific Integrated Circuit）７を含んでもよい。
【００１５】
補助記憶装置８は、アプリケーションプログラムおよびＯＳを記憶する。アプリケーションプログラムは、コピー機能、プリント機能、スキャナ機能、ファクシミリ機能、ネットワークファイル機能といった画像形成装置１が有する機能を実行するプログラムを含む。また、補助記憶装置８は、スキャナ部１６で原稿を読み取って生成した画像データや、通信Ｉ／Ｆ１０およびネットワーク１３０を介して接続されるその他の外部の機器から取得したデータ等を記憶する。補助記憶装置８としては、たとえば、ハードディスクドライブ等の磁気記憶装置、光学式記憶装置、半導体記憶装置（フラッシュ・メモリ等）またはこれら記憶装置の任意の組合せでもよい。
【００１６】
通信Ｉ／Ｆ１０は、ネットワーク１３０を介して外部の機器と接続するインターフェースである。通信Ｉ／Ｆ１０は、たとえば、Ｂｌｕｅｔｏｏｔｈ（登録商標）、赤外線接続、光接続といったＩＥＥＥ８０２．１５、ＩＥＥＥ８０２．１１、ＩＥＥＥ８０２．３、ＩＥＥＥ１２８４等の適切な無線通信または有線通信によりネットワーク１３０を介して外部機器と接続する。通信Ｉ／Ｆ１０は、バッファを含み、ネットワーク１３０を介して受信したデータの一部あるいは全部を一時的にバッファへ保持する。制御部２は、通信Ｉ／Ｆ１０を介して外部記憶装置５０やネットワーク１３０を介して接続されるＰＣ（Ｐｅｒｓｏｎａｌ  Ｃｏｍｐｕｔｅｒ）などのその他外部機器と通信することができる。
【００１７】
操作パネル１４は、ユーザからの様々な操作入力を受けるとともに、様々な情報を表示する。具体的には、操作パネル１４は、タッチパネル式の表示部１４ａと各種の操作キー１４ｂとを備える。表示部１４ａは、たとえば、モノクロ／カラー設定、用紙サイズ、コピー枚数、印刷濃度設定、あるいは仕上げ（綴じ、折り）等の印刷条件に関する指示項目を表示する。操作キー１４ｂは、たとえば、テンキー、リセットキー、ストップキー、スタートキー等を備える。ユーザは、各種処理や表示部１４ａに表示された項目に対する指示を、表示部１４ａまたは操作キー１４ｂから入力して指示することができる。
【００１８】
スキャナ部１６は、原稿を読み取る。スキャナ部１６は、原稿を画像として読み取る内蔵された走査読取ユニットと、原稿載置台と、読取位置へ原稿を搬送する自動原稿送り装置と、を備える。スキャナ部１６の走査読取ユニットは、原稿載置台あるいは自動原稿送り装置にセットされた原稿を読み取る。
【００１９】
プリンタ部１８は、スキャナ部１６で読み取った原稿の画像データに対応する画像や、ネットワーク１３０を介して外部のＰＣなどのクライアント端末から送られてきたデータに対応する画像を、用紙カセットから供給される用紙の上に形成する。
【００２０】
ファクシミリコントロールユニット（ＦＣＵ）２０は、画像形成装置１におけるファクシミリの送信処理及び受信処理を制御する。
【００２１】
以上が、本実施形態の画像形成装置の構成である。
【００２２】
次に、本実施形態にかかる、白抜き文字の白抜き部分に周囲の領域からの着色剤のはみ出しが目立たない画像形成処理について説明する。
【００２３】
ここで、図２には、白抜き文字で表示される文字列の１つの文字部分を拡大した図である。図２に示すように、「白抜き文字」とは、文字の領域の背景がベタ塗りあるいは網掛け処理などがされており、文字の部分（文字の輪郭の内側の領域）が白く抜かれて用紙の地によってそのまま表示される文字である。このような白抜き文字を用紙に画像形成すると、白抜き文字領域の周囲の塗りつぶし領域の着色剤が、白抜き文字領域内にはみ出す場合がある。これは、画像形成方式が、トナーを用いる電子写真式の場合であれば、トナーが加熱・加圧されて溶融して用紙に定着する際に白抜き文字領域側にはみ出すものと考えられ、インクジェット方式であれば、インクの滲みなどが原因と考えられる。
【００２４】
図３は、本実施形態の画像形成装置１の機能を示す機能ブロック図である。画像形成装置１は、ジョブ取得部１００と、ＲＩＰ部１０２と、白抜き文字領域拡張処理部１０４と、判定部１０６と、画像処理部１０８と、画像形成処理制御部１１０と、を備える。
【００２５】
ジョブ取得部１００は、ネットワーク１３０を介して、クライアント端末から画像形成ジョブを取得する。また、画像形成ジョブとしては、画像形成装置１に、ＵＳＢフラッシュメモリなどの記憶媒体を直接接続し、その記憶媒体に記憶されているデータを印刷するように操作を行うことで発生する画像形成ジョブでもよい。
【００２６】
ＲＩＰ（Raster image processor）部１０２は、画像形成ジョブに含まれる印刷対象のデータである、ＰＤＬ（Page Description Language）ファイルを解析し、ラスターイメージ（ビットマップ画像）に変換する。
【００２７】
また、ＲＩＰ部１０２は、抽出部として、生成されるラスターイメージの各画素毎の属性を示す属性データをＰＤＬファイルから抽出する。属性データは、具体的には、各画素がラスターイメージに変換される前のＰＤＬファイルにおいて、画像データ（Image）であったのか、文字データ（Text）であったのか、図形データ（Graphic）であったのかを識別するデータである。例えば、元のＰＤＬファイルにおいて、画像データであった領域に対応するラスターイメージにおける画素の属性データは、画像データとなり、元のＰＤＬファイルにおいて文字データであった領域に対応するラスターイメージにおける画素の属性データは、文字データとなる。
【００２８】
白抜き文字領域拡張処理部（以下、「拡張処理部」とも呼ぶ）１０４は、画像形成処理対象のＰＤＬファイルに、白抜き文字の領域が含まれている場合に、その白抜き文字の領域を拡張する処理を行う。具体的には、白抜き文字の領域の周囲に拡張領域を形成することで、白抜き文字の領域の拡張処理を行う。拡張する大きさは、特に限定されないが、着色剤を用紙に付着させた場合に、白抜き文字の領域側にはみ出す量に基づいて決めればよいが、例えば、６００ｄｐｉの解像度で印刷する場合に、白抜き文字の本来の輪郭の位置から１画素から２画素分程度、白抜き部分の外側に拡張し、その拡張した領域について後述するような不透明を低下する処理をすることで、白抜き部分への文字への着色剤のはみ出しを十分抑制することができる。
【００２９】
判定部１０６は、白抜き文字領域の拡張領域が、画像データの属性または図形データの属性の領域に重なっているか否かを判断する。そして、判定部１０６は、さらに、拡張領域が画像データの属性または図形データの属性の領域に重なっている場合に、その重なっている領域（以下、拡張領域と重なっている画像データあるいは図形データの属性の領域を重複領域とも呼ぶ。）の不透明度が所定の基準値以上であるか否かを判定する。
【００３０】
ここで、不透明度とは、ある領域についてその領域を塗る色が指定されている場合に、その色をどの程度の濃淡で塗るかを示す値である。本実施形態では、ＰＤＬファイルにおいて、この不透明度が０〜２５５の数値で指定されているものとして説明する。例えば、不透明度が２５５であれば、対象の領域は、指定された色で完全に塗りつぶされた状態（いわゆる、ベタ塗りの状態）となる。不透明度が０であれば、色がない状態となる。本実施形態では、上記所定の基準値は、最大値（つまり不透明度２５５）として説明する。
【００３１】
画像処理部１０８は、重複領域の不透明度が基準値以上である、つまり本実施形態の場合には最大値の２５５であると判定された場合に、その重複領域の不透明度を、その重複領域から白抜き部分への着色剤のはみ出しが目立たなくなるような不透明度に減少させる画像処理を行う。
【００３２】
図４には、画像処理部１０８による画像処理後の画像例を示す。図４は、図２に示した画像に対して、上述した機能によって画像処理された画像データである。図４において、破線で囲まれた領域が、もともと白抜き文字の白抜き部分として指定されていた領域である。そして、破線の外側の塗りつぶし領域との間の、塗りつぶし領域よりも薄い色で示している領域が、拡張領域である。この拡張処理部１０４によって拡張された領域である拡張領域部分の不透明度が、内側の白抜き部分への着色剤のはみ出しが目立たなくなる程度の不透明度に、画像処理部１０８によって低下されている。
【００３３】
このような画像処理後の画像を用紙に画像形成した場合には、白抜き部分の周囲の塗りつぶし領域の不透明度が、白抜き部分へのはみ出しが目立たない程度に低くなっているため、白抜き部分へのはみ出しが目立たない良好な画質の白抜き文字を用紙に形成することができる。
【００３４】
なお、画像処理部１０８は、拡張領域部分の不透明度を変更する際に、白抜き部分への着色剤のはみ出しが目立たなくなる不透明度のうち、不透明度の変更量がなるべく小さくなるように（つまり、元の不透明度に近い不透明度に）不透明度を変更することが好ましい。これにより、白抜き部分への着色剤のはみ出しを目立たなくするとともに、白抜き文字の輪郭の周囲の塗りつぶし領域について、画像が変更されている（不透明度が小さくなっている）ことを目立たなくすることができるという効果が得られるためである。拡張領域の不透明度を極端に大きく低下させてしまうと、白抜き部分が拡張されているように見えてしまい、元々の画像との相違が大きくなってしまうためである。
【００３５】
また、白抜き部分への着色剤のはみ出しが目立たなくなるような不透明度は、予め様々な色について白抜き部分へのはみ出しが目立たなくなるような不透明度を調べておき、その不透明度を補助記憶装置８や、メモリ６などの所定の記憶領域に記憶しておけばよい。そして、画像処理部１０８が、不透明度を低下させる画像処理を実行する場合に、当該記憶領域から対応する不透明度の数値を取得して、拡張領域の不透明度を取得した不透明度に変更すればよい。
【００３６】
画像形成処理制御部１１０は、画像処理部１０８によって画像処理されて生成される画像データ（ラスターイメージ）に基づいて、プリンタ部１８に画像形成処理を行わせる。なお、画像形成対象の画像内に、もともと白抜き文字が含まれていない場合には、画像形成処理制御部１１０は、ＰＤＬファイルをＲＩＰ部１０２においてそのまま変換して生成されるラスターイメージに基づいて、画像形成処理を行う。
【００３７】
以上が、本実施形態の画像形成装置１の構成及び機能である。本実施形態の画像形成装置１によれば、白抜き部分への着色剤のはみ出しが目立たず、良好な画質の白抜き文字を画像形成することができる。
【００３８】
次に、本実施形態の画像形成装置１における処理の流れを説明する。図５は、本実施形態の画像形成装置１による画像形成処理の流れを示すフローチャートである。
【００３９】
まず、ジョブ取得部１００が、クライアント端末などにおいて生成された画像形成ジョブを取得する（Ａｃｔ１０１）。
【００４０】
次に、ＲＩＰ部１０２が、ジョブ取得部１００が取得した画像形成ジョブのＰＤＬファイルに対してＲＩＰ処理を行う（Ａｃｔ１０２）。
【００４１】
次に、ＲＩＰ処理の結果、処理対象の画像内に白抜き文字が存在するか否かをＲＩＰ部１０２が判定し、白抜き文字が存在する場合には（Ａｃｔ１０３のＹｅｓ）、拡張処理部１０４が、白抜き文字の白抜き部分の拡張処理を行う（Ａｃｔ１０４）。
【００４２】
次に、判定部１０６が、拡張領域の属性が、図形データ又は画像データであり、かつ、当該拡張領域の不透明度が基準値以上（本実施形態では最大値の不透明度２５５）であるか否かを判定する（Ａｃｔ１０５）。
【００４３】
判定部１０６が、拡張領域の属性が、図形データ又は画像データであり、かつ、当該拡張領域の不透明度が基準値以上（本実施形態では最大値の不透明度２５５）であると判定した場合には（Ａｃｔ１０５のＹｅｓ）、画像処理部１０８が、当該拡張領域の不透明度を、白抜き部分への着色剤のはみ出しが目立たなくなるように不透明度を低下させる（Ａｃｔ１０６）。
【００４４】
次に、画像形成処理制御部１１０が、（Ａｃｔ１０６）において画像処理されて生成されるラスターイメージに基づき、プリンタ部１８に画像形成処理を実行させる（Ａｃｔ１０７）。
【００４５】
一方、拡張領域の属性が図形データ又は画像データではない、あるいは属性は図形データ又は画像データであるが不透明度が基準値より小さいと判定された場合には（Ａｃｔ１０５のＮｏ）、画像形成処理制御部１１０が、ＲＩＰ部１０２によって生成された画像であって、画像処理部１０８によって画像処理されていないラスターイメージに基づき、プリンタ部１８に通常の画像形成処理を実行させる（Ａｃｔ１０８）。
【００４６】
また、白抜き文字が存在しなかった場合には（Ａｃｔ１０３のＮｏ）、ＲＩＰ処理によって生成されたラスターイメージに基づき、画像形成処理部１１０がプリンタ部１８に通常の画像形成処理を実行させる（Ａｃｔ１０８）。
【００４７】
以上が本実施形態の画像形成装置１による画像形成処理の流れである。
【００４８】
なお、本実施形態においては、重複領域の不透明度を変更するか否かを判断する際の基準値を最大値（上述した不透明度の範囲では２５５）とするとして説明したが、これに限られない。用紙に画像を形成した場合に、重複領域の不透明度が、白抜き文字の白抜き部分の領域内に周囲の領域に付着した着色剤がはみ出してくるような不透明度を基準値としてもよい。例えば、画像データにおいて、重複領域の不透明度が２４０以上の場合に、実際に用紙に画像を形成すると、着色剤が文字部分の領域内にはみ出してしまう場合には、基準値を２４０とすればよい。すなわち、白抜き部分への着色剤のはみ出しは、画像形成装置１において使用される着色剤の性質や、画像を形成する用紙の性質（滲みやすいかどうかなど）や、定着温度やニップ圧などの画像形成処理条件によって変化するため、これらの条件に応じて、白抜き部分へのはみ出しを十分に抑制できるような基準値を設定すればよい。
【００４９】
また、本実施形態においては、白抜き文字の白抜き部分は、着色剤が付着しておらず用紙の地がそのまま現れているものとして説明したが、これに限られない。白抜き文字が、その白抜き部分において、用紙の地の少なくとも一部がトナーなどの着色剤で覆われていない場合であってもよい。すなわち、白抜き文字の白抜き部分が、部分的に着色剤が付着し地のままの部分が残った状態であってもよい。このように白抜き部分の一部に着色剤が付着していても、用紙の地が残っている場合には、周囲の塗りつぶされた領域から着色剤がはみ出す場合があるためである。
【００５０】
また、本実施形態においては、白抜き文字拡張処理部１０４により拡張処理を行った後、その拡張領域と重なる領域の属性が図形データ又は画像データであるか、そして、その図形データ又は画像データの属性の重複領域の不透明度が基準値以上であるか否かを判定することにより、白抜き文字の白抜き部分の拡張処理を行うとして説明したが、これに限られない。印刷対象の画像に、塗りつぶしの（あるいは塗りつぶしに近い）背景に白抜きされて表示される文字が含まれる場合に、その白抜き文字の白抜き部分を拡張できれば、上述した処理方法、処理順序に限られない。
【００５１】
また、本実施形態の画像形成装置は、電子写真方式の画像形成装置であってもよいし、インクジェット方式の画像形成装置であってもよい。
【００５２】
以上、本発明の実施形態について説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５３】
１  画像形成装置        ２  制御部        ４  プロセッサ        ６  メモリ
１０  通信インターフェース（通信Ｉ／Ｆ）        １４  操作パネル
１６  スキャナ部        １８  プリンタ部
１００  ジョブ取得部        １０２  ＲＩＰ部        
１０４  白抜き文字領域拡張処理部        １０６  判定部
１０８  画像処理部        １１０  画像形成処理制御部
【図１】
2011254479.tif 000003
【図３】
2011254479.tif 000004
【図５】
2011254479.tif 000005
【図２】
2011254479.tif 000006
【図４】
2011254479.tif 000007